【手続補正書】
【提出日】平成26年5月30日(2014.5.30)
【手続補正１】
【補正対象書類名】明細書
【補正対象項目名】００５３
【補正方法】変更
【補正の内容】
【００５３】
スロット(95)は、高さ調節の経路を規定し、コネクタ部(93)は、それに沿って移動する。スロットは、モニタ装着部(84)の取付プレートに取り付けられるモニタの僅かな垂直調節を規定するために、２乃至５インチ(５．０８ｃｍ乃至１２．７ｃｍ)の間の長さを有することが好ましい。
【手続補正２】
【補正対象書類名】特許請求の範囲
【補正対象項目名】全文
【補正方法】変更
【補正の内容】
【特許請求の範囲】
【請求項１】
少なくとも１つのねじ部を有する第１の細長の略垂直部材と、
少なくとも１つのねじ部を有する第２の細長の略垂直部材と、
前記第１の細長の垂直部材に移動自在に取り付けられる第１の鍔部と、
前記第２の細長の垂直部材に移動可能に取り付けられる第２の鍔部と、
前記第１及び第２の細長の略垂直部材に隣接して配置される第１の略水平部材と、
を備えており、
前記第１の鍔部は、第１方向への前記第１の鍔部の回転が、前記第１の細長の略垂直部材の少なくとも１つのねじ部に沿ってほぼ上方向に前記第１の鍔部を移動させ、第１方向とは反対の第２方向への前記第１の鍔部の回転が、前記第１の細長の略垂直部材の少なくとも１つのねじ部に沿ってほぼ下方向へ前記第１の鍔部を移動させるように構成されており、
前記第２の鍔部は、前記第１方向への前記第２の鍔部の回転が、前記第２の細長の略垂直部材の少なくとも１つのねじ部に沿ってほぼ上方向へ前記第２の鍔部を移動させ、前記第１方向とは反対の前記第２方向への前記第２の鍔部の回転が、前記第２の細長の略垂直部材の少なくとも１つのねじ部に沿ってほぼ下方向へ前記第２の鍔部を移動させるように構成されており、
前記第１の略水平部材は、前面と、背面と、前記背面に形成されたチャンネルとを有しており、前記第１の略水平部材は、前記第１及び第２の鍔部の移動が前記第１の略水平部材の垂直位置を調節するように、前記第１及び第２の鍔部に支持されて又は取り付けられており、前記チャンネルは、表示装置用の配線を受け入れる大きさと構成にされている、支持装置。
【請求項２】
前記第１の略水平部材に取り付けられる少なくとも１つのクィックリリース取付機構を更に備えており、各クィックリリース取付機構は、前記第１の略水平部材に表示装置を結合する大きさと構成にされている、請求項１に記載の支持装置。
【請求項３】
前記少なくとも１つのクィックリリース取付機構の各々は、前記第１の略水平部材の上部と係合するように構成された上部を有する略水平部材装着部と、第１の位置から第２の位置に移動自在な可動部材とで構成されており、前記可動部材は、前記第１の位置に付勢されており、前記可動部材は、前記第１の位置にて前記第１の略水平部材の底背部に係合する大きさと構成にされており、前記可能部材は、前記第２の位置にて、前記第１の略水平部材から前記クィックリリース取付機構を取り外せるように構成されており、前記可動部材の移動は、機械的な道具を用いることなく利用者によって行われる、請求項１に記載の支持装置。
【請求項４】
第３の鍔部と、第４の鍔部と、前記第１及び第２の略垂直部材に隣接して配置される第２の略水平部材とを更に備えており、
前記第３の鍔部は、前記第１の細長の略垂直部材に移動自在に取り付けられており、前記第３の鍔部は、第１方向への前記第３の鍔部の回転が、前記第１の細長の略垂直部材の少なくとも１つのねじ部に沿ってほぼ上方向へ前記第３の鍔部を移動させ、第１方向とは反対の第２方向への前記第３の鍔部の回転が、前記第１の細長の略垂直部材の少なくとも１つのねじ部に沿ってほぼ下方向へ前記第３の鍔部を移動させるように構成されており、
前記第４の鍔部は、前記第２の細長の略垂直部材に移動可能に取り付けられており、前記第４の鍔部は、前記第１方向への前記第４の鍔部の回転が、前記第２の細長の略垂直部材の少なくとも１つのねじ部に沿ってほぼ上方向へ前記第４の鍔部を移動させ、前記第１方向とは反対の前記第２方向への前記第４の鍔部の回転が、前記第２の細長の略垂直部材の少なくとも１つのねじ部に沿ってほぼ下方向へ前記第４の鍔部を移動させるように構成され、
前記第２の略水平部材は、前記第３及び第４の鍔部の移動が前記第２の略水平部材の垂直位置を調節するように、前記第３及び第４の鍔部に支持されて又は取り付けられており、前記チャンネルは、表示装置用の配線を受け入れる大きさと構成にされている、請求項１に記載の支持装置。
【請求項５】
前記第１の略水平部材に取り付けられる少なくとも１つのクィックリリース取付機構と、前記第２の略水平部材に取り付けられる少なくとも１つのクィックリリース取付機構とを更に備えており、各クィックリリース取付機構は、前記第１の略水平部材又は前記第２の略水平部材に表示装置を結合する大きさと構成にされている、請求項４に記載の支持装置。
【請求項６】
少なくとも１つの前記クィックリリース取付機構の各々は、前記第１の略水平部材又は前記第２の略水平部材の上部と係合するように構成された上部を有する略水平部材装着部と、第１の位置から第２の位置に移動自在な可動部材とで構成されており、前記可動部材は、前記第１の位置に付勢されており、前記可動部材は、前記第１の位置にて、前記第１の略水平部材又は前記第２の略水平部材の底背部に係合する大きさと構成にされており、前記可動部材は、前記第２の位置にて、前記第１の略水平部材又は前記第２の略水平部材から前記クィックリリース取付機構を取り外せるように構成されており、前記可動部材の移動は、機械的な道具を用いることなく利用者によって行われる、請求項５に記載の支持装置。
【請求項７】
前記第１の略水平部材の形状は、湾曲しているか、弓状であり、前記チャンネルの上方に配置された溝を有し、前記溝は、前記チャンネルから離れている、請求項１に記載の支持装置。
【請求項８】
第１の取付機構と第２の取付機構とを更に備えており、前記第１の取付機構は、前記第１の細長の略垂直部材に取り付けられ、前記第１の取付機構は、前記第１の細長の略垂直部材を作業面に取り付ける大きさと構成にされており、前記第２の取付機構は、前記第２の細長の略垂直部材に取り付けられ、前記第２の取付機構は、前記第２の細長の略垂直部材を前記作業面又は別の作業面に取り付ける大きさと構成にされている、請求項１に記載の支持装置。
【請求項９】
前記チャンネルに隣接して前記第１の略水平部材に取り付けられる配線カバー、前記第１の細長の略垂直部材に取り付けられるコード管理部、及び、前記第２の細長の略垂直部材に取り付けられるコード管理部の中の少なくとも１つを更に備えている、請求項１に記載の支持装置。
【請求項１０】
前記第１の略水平部材に取り付けられた少なくとも１つのクィックリリース取付機構を更に備えており、各クィックリリース取付機構は、前記第１の略水平部材に表示装置を結合する大きさと構成にされ、前記少なくとも１つのクィックリリース取付機構は、前記第１の略水平部材に取り付けられると、前記第１の略水平部材の長さに沿って摺動するように構成されており、前記少なくとも１つのクィックリリース取付機構はまた、前記少なくとも１つのクィックリリース取付機構に結合された表示装置が、垂直枢転、水平枢転及び回転できるように構成されている、請求項１に記載の支持装置。
【請求項１１】
第１のスリーブと第２のスリーブとを更に備えており、前記第１のスリーブは、前記第１の略水平部材に取り付けられ、前記第２のスリーブは、前記第２の略水平部材に取り付けられており、前記第１のスリーブは、前記第１の細長の略垂直部材の一部を受ける大きさと構成にされた開口を有し、前記第２のスリーブは、前記第２の細長の略垂直部材の一部を受ける大きさと構成にされた開口を有しており、前記第１のスリーブは、前記第１の鍔部に係合又は支持されて、前記第１の鍔部が前記第１の細長の略垂直部材の少なくとも１つのねじ部に沿って移動すると、前記第１の細長の略垂直部材の一部に沿って移動可能であり、前記第２のスリーブは、前記第２の鍔部に係合又は支持されて、前記第２の鍔部が前記第２の細長の略垂直部材の少なくとも１つのねじ部に沿って移動すると、前記第２の細長の略垂直部材の一部に沿って移動可能である、請求項１に記載の支持装置。
【請求項１２】
前記第１の略水平部材に取り付けられた少なくとも１つのクィックリリース取付機構を更に備えており、各クィックリリース取付機構は、前記第１の略水平部材に表示装置を取り付けるような大きさと構成にされており、前記少なくとも１つのクィックリリース取付機構の各々は高さ調節機構を有しており、前記高さ調節機構は、前記第１及び第２の鍔部が移動することなく、前記高さ調節機構を介して前記表示装置が垂直方向に調節できるような大きさと構成にされている、請求項１に記載の支持装置。
【請求項１３】
前記少なくとも１つのクィックリリース取付機構の各々は、前記第１の略水平部材の上部と係合するように構成された上部を有する水平部材装着部と、第１の位置から第２の位置に移動自在な可動部材とを備えており、前記可動部材は、前記第１の位置に付勢されており、前記可動部材は、前記第１の位置にて、前記第１の略水平部材の底背部に係合する構成にされており、前記可能部材は、前記第２の位置にて、前記第１の略水平部材から前記クィックリリース取付機構を取り外せるように構成されており、前記可動部材の移動は、機械的な道具を用いることなく利用者によって行われる、請求項１２に記載の支持装置。
【請求項１４】
前記高さ調節機構は、前記水平部材装着部に形成されたスロットを通るコネクタから構成されており、前記コネクタは、異なる複数の位置へ前記スロット内を移動可能である、請求項１３に記載の支持装置。
【請求項１５】
前記コネクタが前記スロット内にて移動可能な前記異なる複数の位置の各々は、前記水平部材装着部で規定され、又は、前記水平部材装着部に取り付けられた複数の歯、複数の突起、スロットに隣接した構造、及び複数のステップの１つによって規定される、請求項１４に記載の支持装置。